(57)【要約】【課題】  ひったくり防止鞄の提供。【解決手段】  鞄本体、自動脱落装置、回路制御装置、ブザー及びショルダーバンドで共同で組成され、該自動脱落装置は鞄本体とショルダーバンド端部の間に設置され、ショルダーバンド端部に結合された可動磁気吸着体と、鞄本体に結合された固定磁気吸着体と、を具え、該固定磁気吸着体が該回路制御装置及びブザーに接続され、自動警報の回路を形成し、該可動磁気吸着体と該固定磁気吸着体が相互に磁気吸着結合時に完全な鞄を形成し、ショルダーバンド端部の可動磁気吸着体がひったくりに遇ったり或いは使用者が主動的に固定磁気吸着体より離脱する時、該回路制御装置が自動的にブザーを起動して警報を発生し、泥棒を威嚇して鞄使用者を保護し、並びにひったくり防止と保身機能を具えた鞄とされる。【選択図】        図２
0003109196.tif 000002
【実用新案登録請求の範囲】
【請求項１】
鞄本体、自動脱落装置及びショルダーバンドで構成され、該自動脱落装置は鞄本体とショルダーバンド端部の間に設置され、ショルダーバンド端部に結合された可動磁気吸着体と、鞄本体に結合された固定磁気吸着体と、を具え、該可動磁気吸着体と該固定磁気吸着体が相互に磁気吸着により結合可能で、ショルダーバンド端部の可動磁気吸着体が鞄本体の固定磁気吸着体より離脱する時、ショルダーバンドが鞄本体より離脱し、鞄本体を保護することができることを特徴とする、ひったくり防止鞄。
【請求項２】
請求項１記載のひったくり防止鞄において、鞄本体に固定座が設置され、該固定座中に固定磁気吸着体が固定され、該固定座の該固定磁気吸着体の上方に収容空間が凹設され、ショルダーバンド端部の可動磁気吸着体が該収容空間内に挿入されて固定磁気吸着体と磁気吸着により結合されたことを特徴とする、ひったくり防止鞄。
【請求項３】
請求項２記載のひったくり防止鞄において、固定座の座体に固定磁気吸着体に接続された一対のピンが設置され、該ピンの別端が回路制御装置に接続されてから更にブザーに接続されて自動警報の回路を形成し、これによりショルダーバンド端部の可動磁気吸着体が鞄本体の固定磁気吸着体より離脱する時、該回路制御装置が自動的にブザーを起動して警報音を発生させることを特徴とする、ひったくり防止鞄。
【考案の詳細な説明】
【技術分野】
【０００１】
本考案は一種のひったくり防止鞄に係り、犯人がショルダーバンドを引っ張る時、或いは使用者が自分で操作する時、ショルダーバンドを迅速に本体より離脱させられ、且つショルダーバンド離脱後に自動警報の回路により警報音を発生して犯人を威嚇し、こうして即刻犯人との関係を遮断し、ひったくりを防止し、適時に警報音を発して人身の安全を保護するひったくり防止鞄である。
【背景技術】
【０００２】
現在、市販されている鞄は通常、鞄本体とショルダーバンドで構成され、そのうち、鞄本体とショルダーバンドの間の結合方式はほとんどが縫製方式で直接縫合固定され、ゆえに、基本的に、現在、一般の鞄構造は、通常鞄本体とショルダーバンドが結合されて一体とされた固定式構造である。しかし、社会の風紀が乱れ、ひったくり事件が多発する時代にあって、婦女子がこのような固定式構造の鞄を肩に掛けている時、後方からオートバイ等に乗った犯人によりひったくりに遇うと、被害者は重心が不安定となり転んで怪我をすることがあり、更に被害者が鞄を抱えて手を離さない場合は、強行に引きずられて厳重な傷害を受けることがあり、被害者が妊婦である場合、その結果は想像に耐えないものとなる。
【０００３】
広く国内外で実地調査した結果、ひったくりに遭遇した時に被害者が全身を引いて犯人にショルダーバンドのみを盗ませて、鞄本体を守ることができる鞄はなく、鞄本体とショルダーバンドは絶対的結合関係にあり、このために瞬間的に分離させられず重大な損失を形成する。現在、治安はますます悪化しており、ひったくりに遇った時に、鞄本体を保留することができるようにし、並びに犯人を威嚇できるようにすることは非常に重要である。
【考案の開示】
【考案が解決しようとする課題】
【０００４】
本考案は上述の従来のショルダーバンドと鞄本体が固定式に結合された鞄の欠点を解決するためになされたものである。
【０００５】
すなわち、本考案の主要な目的は、一種のひったくり防止鞄を提供することにあり、それは、ひったくりに遭遇し犯人がショルダーバンドを引っ張った時、或いは使用者の主動操作により、ショルダーバンドと鞄本体を迅速に分離でき、且つショルダーバンドが鞄本体より離脱する時に自動的に警報音を発生し、これにより犯人に鞄本体を奪わせない鞄保全の機能と、適時に警報音を発生して犯人を威嚇して人身の安全を保護する長所と効果を達成できるものとする。
【課題を解決するための手段】
【０００６】
請求項１の考案は、鞄本体、自動脱落装置及びショルダーバンドで構成され、該自動脱落装置は鞄本体とショルダーバンド端部の間に設置され、ショルダーバンド端部に結合された可動磁気吸着体と、鞄本体に結合された固定磁気吸着体と、を具え、該可動磁気吸着体と該固定磁気吸着体が相互に磁気吸着により結合可能で、ショルダーバンド端部の可動磁気吸着体が鞄本体の固定磁気吸着体より離脱する時、ショルダーバンドが鞄本体より離脱し、鞄本体を保護することができることを特徴とする、ひったくり防止鞄としている。
請求項２の考案は、請求項１記載のひったくり防止鞄において、鞄本体に固定座が設置され、該固定座中に固定磁気吸着体が固定され、該固定座の該固定磁気吸着体の上方に収容空間が凹設され、ショルダーバンド端部の可動磁気吸着体が該収容空間内に挿入されて固定磁気吸着体と磁気吸着により結合されたことを特徴とする、ひったくり防止鞄としている。
請求項３の考案は、請求項２記載のひったくり防止鞄において、固定座の座体に固定磁気吸着体に接続された一対のピンが設置され、該ピンの別端が回路制御装置に接続されてから更にブザーに接続されて自動警報の回路を形成し、これによりショルダーバンド端部の可動磁気吸着体が鞄本体の固定磁気吸着体より離脱する時、該回路制御装置が自動的にブザーを起動して警報音を発生させることを特徴とする、ひったくり防止鞄としている。
【考案の効果】
【０００７】
本考案のひったくり防止鞄は、鞄本体、自動脱落装置、回路制御装置、ブザー及びショルダーバンドで共同で組成され、該自動脱落装置は鞄本体とショルダーバンド端部の間に設置され、ショルダーバンド端部に結合された可動磁気吸着体と、鞄本体に結合されて該可動磁気吸着体と磁気吸着する固定磁気吸着体と、を具え、ショルダーバンド端部の可動磁気吸着体が固定磁気吸着体より離脱する時、ショルダーバンドが鞄本体より自動離脱し、これにより使用者が鞄本体をひったくりより守ることができる。
【０００８】
本考案のひったくり防止鞄は、鞄本体の外側に固定座が設置され、固定磁気吸着体が該固定座中に固定され、且つ該固定座の固定磁気吸着体の上方に収容空間が凹設され、ショルダーバンド端部の可動磁気吸着体が該収容空間に挿入され、並びに固定磁気吸着体と吸着結合し、完全な鞄を形成する。
【０００９】
また、本考案のひったくり防止鞄は固定座の座体に一対のピンが接続され、ピンに回路制御装置とブザーが接続され、自動警報の回路が形成され、これにより、ショルダーバンド端部の可動磁気吸着体が鞄本体の固定磁気吸着体より離脱する時、該回路制御装置がブザーを自動的に起動して警報音を発生させ、これにより犯人を威嚇し、人身の安全を保護する。
【考案を実施するための最良の形態】
【００１０】
図２から図４に示されるように、本考案は鞄本体１、ショルダーバンド２、自動脱落装置３、回路制御装置３５及びブザー３６が共同で構成し、そのうち、該鞄本体１は外皮層１１と内張り層１２を具え、内張り層１２の内部に適宜大きさの収納空間を有するポケット１３が設置されている。該ショルダーバンド２の端部は折り返されて縫合され中空挿入口２０が形成され、自動脱落装置３は固定座３２と一対の可動磁気吸着体３０を具え、該固定座３２の座体内部に予め一対の円柱状造形で相当な強度の磁気吸着力を具えた固定磁気吸着体３１が設置され、固定磁気吸着体３１の上方に、一体に上端が開放空間状を呈して可動磁気吸着体３０が挿入される収容空間３２１が形成されている。固定座３２の鞄本体１に向いた一側に一対のピン３３が設けられ、それぞれ固定磁気吸着体３１と接続され、これらピン３３は更に導線３４を利用して該回路制御装置３５に接続され、更に導線３４を利用して回路制御装置３５よりブザー３６に接続され、且つ該回路制御装置３５に電源（電池）３７が設けられて電力を供給し、回路制御装置３５、ブザー３６及び固定磁気吸着体３１と可動磁気吸着体３０の接続関係により自動警報の回路が形成され、この回路のレイアウトは以下のようである。可動磁気吸着体３０と固定磁気吸着体３１が相互に磁気吸着により接続されている時、ブザー３６は不導電の静止状態とされ、可動磁気吸着体３０と固定磁気吸着体３１が分離する時、ブザー３６が導電し警報音を発生し、警報の作用を達成する。また、可動磁気吸着体３０も円柱造形を呈して相当な強度の磁気吸着力を有し、可動磁気吸着体３０の上端がＵ型連接棒３０１でショルダーバンド２の端部の中空挿入口２０に挿入された後、一対の可動磁気吸着体３０が固定座３２の収容空間３２１中に挿入され並びに固定磁気吸着体３１と相互に磁気吸着し、可動磁気吸着体３０、固定磁気吸着体３１、連接棒３０１及びピン３３がいずれも良好な導電体とされる。
【００１１】
本考案の結合方式については図４を参照されたい。まず、自動脱落装置３の固定座３２が鞄本体１の外側に固定され（リベットによる結合方式がよいが、他の固定手段による結合を排除するものではない）、固定座３２のピン３３が鞄本体１の外皮層１１に通され、更に導線３４で回路制御装置３５に接続される。このほか、導線３４で回路制御装置３５に接続されたブザー３６が外皮層１１の適当な場所に設置される（自動脱落装置３とブザー３６の取付は鞄内に内蔵しても或いは鞄外側に露出させてもよいが、鞄外側に露出させるのが好ましく、これにより犯人にブザー３６を見せてひったくりの計画を諦めさせることができ、威嚇の機能を達成する）。回路制御装置３５は鞄本体１内部のポケット１３中に置かれる。固定座３２と回路制御装置３５及び回路制御装置３５とブザー３６を接続する導線３４は外皮層１１と内張り層１２の間に巡らされて収納される（これにより回路制御装置３５を引き出して電源３７を交換するのに便利である）。続いて、可動磁気吸着体３０のＵ型連接棒３０１がショルダーバンド２端部の中空挿入口２０に凹設され、最後に可動磁気吸着体３０が固定座３２の収容空間３２１中に挿入されて、可動磁気吸着体３０と固定磁気吸着体３１が相互に磁気吸着により結合される（このとき、自動警報の回路が完成し、且つこのときブザーは静止状態とされる）。このような設置により本考案のひったくり防止鞄の最良の実施例が完成する。
【００１２】
使用時には、本考案の可動磁気吸着体３０と固定磁気吸着体３１はいずれも相当な程度の磁気吸着力を具え、このため十分に鞄内部に放置された物品の重量に耐えることができ（厳しい重量及び引っ張り力試験を行う）、脱落の状況を発生せず、ゆえに一般の伝統的な鞄の使用と変わるところはなく、可動磁気吸着体３０と固定磁気吸着体３１の間が理由なく脱落分離する心配はない。ただし、可動磁気吸着体３０と固定磁気吸着体３１は相対結合関係を形成し、ゆえに、突然の引っ張り（すなわちオートバイ等に乗った犯人によるひったくり）を受ける時、突然の引っ張りの瞬間的な爆発力は極めて大きく、このため可動磁気吸着体３０が固定磁気吸着体３１より瞬間的に離脱し、ショルダーバンド２と鞄本体１が分離し関係を断絶する。こうして、犯人の手中には価値がないショルダーバンド２のみが残り、被害者は真正に価値のある鞄本体１を保持でき、ひったくり防止の作用が達成される。本考案の可動磁気吸着体３０が瞬間的に固定磁気吸着体３１を離脱すると同時に、回路制御装置３５もこれによりブザー３６を起動して耳をつんざく警報音を発生し（図５）、これにより付近の人の注意をひき、犯人を捕らえるのに協力してもらうことができる。更に付近に人がいない場所で他人の協力が得られない場合でも、発生する警報音により犯人を威嚇して逃がし、それ以上の行動を阻止でき、ゆえに人身の安全を保護し、更なる傷害を防止し、鞄と人身を守る二重の効果を達成できる。
【００１３】
本考案は自動的なひったくり防止人身保護の機能のほかに、使用者が自分で起動して警報音を発生させることによる保身機能も具えている。婦女子が一人で歩いている時などに、攻撃或いは襲われる心配があるとき、自分でショルダーバンド２を引っ張り、その端部の可動磁気吸着体３０を固定磁気吸着体３１より離脱させることで（図６）、ブザー３６を鳴らし、他人の注意を引くとともに犯人の不良な計画を阻止し、人身の安全を保護する機能を発揮することができる。状況が解除された時は、可動磁気吸着体３０を固定座３２内に挿入して固定磁気吸着体３１と結合させれば、警報音は停止する。
【００１４】
以上に提示した鞄の実施例は市販されているショルダーバッグの構造への応用であり、ゆえに、固定座３２は鞄本体１の両端端面に設置されるが、実際には本考案はこのような様式に限定されるわけではなく、その他のダブルショルダーバンド式の鞄にも実施可能であり、図７に示されるように、もしダブルショルダーバンド式の鞄に応用する場合は、固定座３２は鞄本体１の両側面に設置され、これによりショルダーバンド２を挿入して磁気吸着により結合させてひったくり防止と保身の機能を達成できる。
【００１５】
以上の説明中、鞄本体１とショルダーバンド２の間の自動脱落装置３の固定磁気吸着体３１と可動磁気吸着体３０の磁気吸着結合の状態が引っ張りにより離脱する構造は本考案の機能を達成する基本装置である。この基本装置は従来の鞄にはなく、本考案の主張する実用新案登録の範囲とされる。当然、この基本装置に、磁気吸着体間の離脱により起動して警報音を発生して犯人を威嚇し、また緊急時に自分で起動して警報音を発生させられる装置を加えることで自衛の最良用途とすることができ、本考案は物品放置の単純な機能しか具備していない従来の鞄とは異なるものであり、顕著な特色を有している。
【００１６】
以上の実施例中、鞄本体１の外側に固定座３２が結合され、固定磁気吸着体３１は該固定座３２中に設置され、更に可動磁気吸着体３０が固定座３２内の収容空間３２１内に挿入されて固定磁気吸着体３１と磁気吸着結合し、可動磁気吸着体３０はＵ型連接棒３０１によりショルダーバンド２の中空挿入口２０に結合されている。このような構造組成は取付により警報音発生機能を鞄に具備させることができる（図２、３、４、６、７）。ただし、ひったくりに遭遇した時に、自動離脱しても警報音を発生しない構造とする時は、固定磁気吸着体を必ずしも直接本体の外側に結合する必要はなく、その他の多くの設計を使用可能であり、例えば、図８、９に示されるように、鞄本体１の側辺に小さい接続バンド１０を縫い付け、更に接続バンド１０の端部の挿入口１０１にＵ型連接棒３１１を通し、更に固定磁気吸着体３１を該Ｕ型連接棒３１１に接続し、こうして固定磁気吸着体３１をショルダーバンド２の可動磁気吸着体３０に対応させて磁気吸着による結合可能とし、固定磁気吸着体３１と可動磁気吸着体３０の結合後（すなわち自動脱落装置３を構成後）に外部を装飾外筒４で被覆して外観を良くする形態が可能である。このような鞄の外観は一般の鞄とほぼ異なるところはなく、周知の鞄との違いは、鞄本体１の固定磁気吸着体３１とショルダーバンド２の可動磁気吸着体３０が引っ張りにより分離可能で、ひったくりに遭遇した時に、使用者が鞄本体１を保護できることにある。このような鞄は構造上、鞄本体１に結合された小さい接続バンド１０が鞄本体１に直接接合されて鞄本体１の一部と見なされ、ゆえにそれに結合される固定磁気吸着体３１もまた鞄本体１に設置され、このような形態もまた本考案の実用新案登録請求の範囲に属する。
【００１７】
更に、本考案の基本装置は鞄の自動脱落装置とされ、それは可動磁気吸着体と固定磁気吸着体で組成され、これにより本考案中で磁気吸着体間の相互磁気吸着による結合の形式が提供され、固定座が設置される形態も不設置の形態も本考案の請求範囲内に属する。
【００１８】
また、ここで強調すべきことは、本考案のひったくり防止鞄の鞄本体とショルダーバンドの間の自動脱落装置の磁気吸着構造（すなわち可動磁気吸着体と固定磁気吸着体）は実施時に一方に磁性を有する磁気吸着体を設置し、もう一方は磁性吸着体により吸着される金属で形成された磁気吸着体とすることが可能で、両者間に磁気吸着と離脱を達成できる構造であれば実施可能であり、いずれも本考案の請求範囲に属することである。
【００１９】
総合すると、本考案のひったくり防止鞄に記載の技術手段は鞄本体を保護してひったくりを防止するほか、人身の安全を保護する効果を有し、ゆえに、図１のようなひったくりの状況を発生させず、本考案により、胎児と財産の両方をいずれも保護でき、図５のようにひったくりを失敗させることができる。基本的な設計では警報音を発生でき、犯人を威嚇する効果を有し、ゆえに本考案はスマートな防衛武器でもあり、進歩性を有している。また弱い婦女及び治安に対して、非常に大きなメリットをもたらす。
【００２０】
以上の実施例は本考案を説明するために提示されたものであり、本考案の実施範囲を限定するものではなく、本考案に基づきなしうる細部の修飾或いは改変は、いずれも本考案の請求範囲に属するものとする。
【図面の簡単な説明】
【００２１】
【図１】周知の鞄がひったくりに遇う時に使用者が引っ張られて引きずられる状況の表示図である。
【図２】本考案の実施例の立体外観図である。
【図３】本考案の実施例の局部分解図である。
【図４】本考案の実施例の局部組合せ断面図である。
【図５】本考案の鞄がひったくりに遇う時に、ひったくりが失敗し、使用者がひったくり防止と保身効果を得られる状況の表示図である。
【図６】本考案の使用者ガ自分で警報音を起動して保護機能を達成する状況の表示図である。
【図７】本考案の実施例の異なる様式の鞄の表示図である。
【図８】本考案の別の実施例の正面外観図である。
【図９】本考案の別の実施例の局部分解図である。
【符号の説明】
【００２２】
１  鞄本体            １０  接続バンド            １０１  挿入口
１１  外皮層          １２  内張り層              １３  ポケット
２  ショルダーバンド  ２０  挿入口                ３  自動脱落装置
３０  可動磁気吸着体  ３０１  Ｕ型連接棒          ３１１  Ｕ型連接棒
３１  固定磁気吸着体  ３２  固定座                ３２１  収容空間
３３  ピン            ３４  導線                  ３５  回路制御装置
３６  ブザー          ３７  電源                  ４  装飾外筒
【図１】
0003109196.tif 000003
【図２】
0003109196.tif 000004
【図３】
0003109196.tif 000005
【図４】
0003109196.tif 000006
【図５】
0003109196.tif 000007
【図６】
0003109196.tif 000008
【図７】
0003109196.tif 000009
【図８】
0003109196.tif 000010
【図９】
0003109196.tif 000011